(57)【特許請求の範囲】
【請求項１】
通信システムであって、
ユーザに通信アカウントを配分し、前記ユーザにより登録された個人情報を受信し、各通信プラットフォームにおける前記ユーザのアカウントを前記通信アカウントに関連付け、前記個人情報はユーザの友達の個人情報、異なる通信プラットフォームにおけるユーザのアカウントとパスワードを含む記録モジュールと、
前記ユーザの前記通信アカウントと前記個人情報に基づいて、前記ユーザの友達関係を確立し、前記ユーザの友達情報を維持する関係リンクモジュールと、
を含むことを特徴とし、
ユーザにより更新された個人情報を受信した場合、前記友達情報に基づいて前記ユーザの新しい個人情報を友達の通信アカウントと友達のクライアントに同期させる同期モジュール、及び／又は、
ユーザにより発表された個人動的情報を受信した場合、前記個人動的情報を同時に複数の通信プラットフォームに発表する発表モジュール、
をさらに含むことを特徴とする、通信システム。
【請求項２】
通信システムであって、
ユーザに通信アカウントを配分し、前記ユーザにより登録された個人情報を受信し、各通信プラットフォームにおける前記ユーザのアカウントを前記通信アカウントに関連付け、前記個人情報はユーザの友達の個人情報、異なる通信プラットフォームにおけるユーザのアカウントとパスワードを含む記録モジュールと、
前記ユーザの前記通信アカウントと前記個人情報に基づいて、前記ユーザの友達関係を確立し、前記ユーザの友達情報を維持する関係リンクモジュールと、
を含むことを特徴とし、
ユーザから提出されたメッセージを受信した場合、連絡を要求する友達の通信プラットフォームにおける状態を状態管理モジュールが問い合わせるようにトリガーし、前記メッセージを、当該友達が現在活動している通信プラットフォームのアカウントに送信する通信モジュール、及び、前記通信モジュールによりトリガーされた場合、連絡を要求する友達の通信プラットフォームにおける状態を問い合わせる状態管理モジュール、並びに／又は、
ユーザの友達の新しい友達情報及び新しい個人動的情報を取得し、異なる通信プラットフォームにおける同じ新しい友達情報又は新しい個人動的情報を１つの情報に統合し、新しい友達情報及び新しい個人動的情報をソートし、友達情報ブリーフィングを生成して前記ユーザに提供する速報モジュール、
をさらに含むことを特徴とする、通信システム。
【請求項３】
通信システムであって、
ユーザに通信アカウントを配分し、前記ユーザにより登録された個人情報を受信し、各通信プラットフォームにおける前記ユーザのアカウントを前記通信アカウントに関連付け、前記個人情報はユーザの友達の個人情報、異なる通信プラットフォームにおけるユーザのアカウントとパスワードを含む記録モジュールと、
前記ユーザの前記通信アカウントと前記個人情報に基づいて、前記ユーザの友達関係を確立し、前記ユーザの友達情報を維持する関係リンクモジュールと、
を含むことを特徴とし、
異なる友達グループに割り当てられた同じ又は異なる情報公開権限を受信して保存するグループ化モジュールと、
前記割り当てられた情報公開権限に基づいて、ユーザの友達が当該ユーザの個人情報および個人動的情報を閲覧することを制御する制御モジュールと、
をさらに含むことを特徴とする、通信システム。
【請求項４】
ユーザの個人情報と、取得されたアドレスブックと、前記ユーザの個人情報とアドレスブックとの対応関係とを保存し、且つ／又は、ユーザの友達情報を保存し、且つ／又は、公開権限情報を保存する記憶モジュール、
をさらに含むことを特徴とする、
請求項１乃至３のいずれか一項に記載の通信システム。
【請求項５】
通信方法であって、
ユーザに通信アカウントを配分し、前記ユーザにより登録された個人情報を受信し、各通信プラットフォームにおける前記ユーザのアカウントを前記通信アカウントに関連付け、前記個人情報はユーザの友達の個人情報、異なる通信プラットフォームにおけるユーザのアカウントとパスワードを含むステップと、
前記ユーザの前記通信アカウントと前記個人情報に基づいて、前記ユーザの友達関係を確立し、前記ユーザの友達情報を維持するステップと、
を含むことを特徴とし、
ユーザから提出されたメッセージを受信した場合、連絡を要求する友達の通信プラットフォームにおける状態を問い合わせ、前記メッセージを、当該友達が現在活動している通信プラットフォームのアカウントに送信するステップ、及び／又は、
ユーザの友達の新しい友達情報及び新しい個人動的情報を取得し、異なる通信プラットフォームにおける同じ新しい友達情報又は新しい個人動的情報を１つの情報に統合し、新しい友達情報及び新しい個人動的情報をソートし、友達情報ブリーフィングを生成して前記ユーザに提供するステップ、
をさらに含むことを特徴とする、通信方法。
【請求項６】
通信方法であって、
ユーザに通信アカウントを配分し、前記ユーザにより登録された個人情報を受信し、各通信プラットフォームにおける前記ユーザのアカウントを前記通信アカウントに関連付け、前記個人情報はユーザの友達の個人情報、異なる通信プラットフォームにおけるユーザのアカウントとパスワードを含むステップと、
前記ユーザの前記通信アカウントと前記個人情報に基づいて、前記ユーザの友達関係を確立し、前記ユーザの友達情報を維持するステップと、
を含むことを特徴とし、
ユーザにより更新された個人情報を受信した場合、前記ユーザの新しい個人情報を保存し、前記友達情報に基づいて前記ユーザの前記新しい個人情報を友達の通信アカウントと
友達のクライアントに同期させるステップ、及び／又は、__ユーザにより発表された個人動的情報を受信した場合、前記個人動的情報を同時に複数の通信プラットフォームに発表するステップ、
をさらに含むことを特徴とする、通信方法。
【請求項７】
ユーザから提出されたメッセージを受信した場合、連絡を要求する友達の通信プラットフォームにおける状態を問い合わせ、前記メッセージを、当該友達が現在活動している通信プラットフォームのアカウントに送信するステップ、及び／又は、
ユーザの友達の新しい友達情報及び新しい個人動的情報を取得し、異なる通信プラットフォームにおける同じ新しい友達情報又は新しい個人動的情報を１つの情報に統合し、新しい友達情報及び新しい個人動的情報をソートし、友達情報ブリーフィングを生成して前記ユーザに提供するステップ、
をさらに含むことを特徴とする、
請求項６に記載の通信方法。
【請求項８】
通信方法であって、
ユーザに通信アカウントを配分し、前記ユーザにより登録された個人情報を受信し、各通信プラットフォームにおける前記ユーザのアカウントを前記通信アカウントに関連付け、前記個人情報はユーザの友達の個人情報、異なる通信プラットフォームにおけるユーザのアカウントとパスワードを含むステップと、
前記ユーザの前記通信アカウントと前記個人情報に基づいて、前記ユーザの友達関係を確立し、前記ユーザの友達情報を維持するステップと、
を含むことを特徴とし、
ユーザに通信アカウントを配分し、前記ユーザにより登録された個人情報を受信し、各通信プラットフォームにおける前記ユーザのアカウントを前記通信アカウントに関連付ける前記ステップは、
ユーザの登録申請を受信した場合、当該ユーザに唯一の通信アカウントを配分し、当該ユーザにより登録された個人情報を受信して保存するステップと、
予め設定された通信プラットフォームのアカウントとパスワードを利用し、対応する通信プラットフォームのログインアプリケーションプログラミングインタフェース（ＡＰＩ）を呼び出し、前記通信プラットフォームの個人ホームページの暗号化されたユニフォームリソースロケータ（ＵＲＬ）文字列を取得して、当該暗号化されたＵＲＬ文字列を関連リンクとするステップ、
を含むことを特徴とする、通信方法。
【請求項９】
前記個人情報は、ユーザの個人資料、連絡先、友達の個人情報、異なる通信プラットフォームにおけるユーザのアカウントとパスワードのうちの１つ以上を含むことを特徴とする、
請求項６又は８に記載の通信方法。
【請求項１０】
通信方法であって、
ユーザに通信アカウントを配分し、前記ユーザにより登録された個人情報を受信し、各通信プラットフォームにおける前記ユーザのアカウントを前記通信アカウントに関連付け、前記個人情報はユーザの友達の個人情報、異なる通信プラットフォームにおけるユーザのアカウントとパスワードを含むステップと、
前記ユーザの前記通信アカウントと前記個人情報に基づいて、前記ユーザの友達関係を確立し、前記ユーザの友達情報を維持するステップと、
を含むことを特徴とし、
ユーザの通信アカウントと個人情報に基づいて、前記ユーザの友達関係を確立する前記ステップは、
ユーザから提供された通信プラットフォームのアカウントとパスワードに基づいて、各通信プラットフォームから前記ユーザの友達情報を取得し、前記取得された友達情報を保存し、前記ユーザの個人情報及び前記ユーザの友達情報に基づいて、他の通信アカウント__とマッチングし、前記ユーザに他の通信アカウントを推薦し、又は、他の通信アカウントを検索し、前記ユーザのアドレスブックと通信プラットフォームにおける友達情報に基づいて、検索結果に関連度の高い通信アカウントを優先的に表示するステップと、
推薦又は検索された通信アカウントに友達要求を送信し、返信された承認応答を受信した場合、前記ユーザと前記通信アカウントとの友達関係を確立するステップ、
を含むことを特徴とする、通信方法。
【請求項１１】
通信方法であって、
ユーザに通信アカウントを配分し、前記ユーザにより登録された個人情報を受信し、各通信プラットフォームにおける前記ユーザのアカウントを前記通信アカウントに関連付け、前記個人情報はユーザの友達の個人情報、異なる通信プラットフォームにおけるユーザのアカウントとパスワードを含むステップと、
前記ユーザの前記通信アカウントと前記個人情報に基づいて、前記ユーザの友達関係を確立し、前記ユーザの友達情報を維持するステップと、
を含むことを特徴とし、
ユーザの友達情報を維持する前記ステップは、
取得されたアドレスブックと友達情報におけるグループ情報とに基づいて、友達グループの提示情報をグループ化又は提供するステップと、
異なる友達グループに割り当てられた同じ又は異なる情報公開権限を受信して保存し、前記割り当てられた情報公開権限に基づいて、ユーザの友達が当該ユーザの個人情報および個人動的情報を閲覧することを制御するステップ、
を含むことを特徴とする、通信方法。
【請求項１２】
友達情報に基づいて、ユーザの新しい個人情報を友達の通信アカウントと友達のクライアントに同期させる前記ステップは、
ユーザにより更新された個人情報を受信した場合、友達の個人情報及び友達に配分された情報公開権限に基づいて、前記ユーザの新しい個人情報を友達の通信アカウントに同期させ、友達の通信アカウントが前記ユーザの前記新しい個人情報を受信した場合、記憶ユニットに保存された前記ユーザの個人情報を更新するステップと、
前記新しい個人情報に新しい通信情報が含まれる場合、前記新しい通信情報を友達のクライアントに能動的に送信し、当該クライアントが前記新しい通信情報を受信し、前記新
しい通信情報をアドレスブックに保存し、前記友達の前記クライアントにおける前記ユーザの通信情報の更新を実現するステップ、
を含むことを特徴とする、
請求項６に記載の通信方法。
【請求項１３】
ユーザの個人動的情報を同時に複数の通信プラットフォームに発表する前記ステップは、
ユーザによりクライアントを介してアップロードされた個人動的情報を受信し、前記ユーザにより前記クライアントを介して選択された１つ以上の通信プラットフォームのアカ
ウントを受信するステップと、
前記選択された１つ以上の通信プラットフォームのアカウントに基づいて、受信された前記個人動的情報を対応する１つ以上の通信プラットフォームのアカウントに同時に発表するステップ、
を含むことを特徴とする、
請求項６に記載の通信方法。
【請求項１４】
請求項５乃至１３のいずれか一項に記載の通信方法を実行するためのコンピュータ実行可能命令を記憶する、コンピュータ記憶媒体。
【発明の詳細な説明】
【技術分野】
【０００１】
本発明は、インターネット応用分野に関し、特に、通信方法、通信システム及びコンピュータ記憶媒体に関する。
【背景技術】
【０００２】
インターネットの発展に伴い、モバイル端末、電子メール、オンラインフォーラム、即時通信ツール、ソーシャルネットワークサイト、ブログ、マイクロブログなどの様々な通信プラットフォームが現れている。ユーザは、クライアントを介してこれらの通信プラットフォームを利用してリアルタイムコミュニケーション、情報共有などを行うことができる。
【０００３】
現在、通常は、各通信プラットフォームが独自のアカウントシステムを持っているので、ユーザは、異なる通信プラットフォームにおけるアカウント及び通信プラットフォームにおける友達を維持するために、大量の精力を費やす必要がある。例えば、ユーザは、複数の通信プラットフォームにログインして友達の動的情報を見て、複数の通信プラットフォームに同じ動的情報を発表する必要があるので精力を費やす。複数の通信プラットフォームに発表しないと、一部の友達が自分の動的情報を見られない。異なる通信プラットフォームにおける友達のニックネームが違うかもしれないため、ユーザにとって識別が困難になり、ひいてはコミュニケーションが困難になる。また、現代社会の流動性が高く、発展がとても速いため、ユーザの連絡先などの変更も速い。ユーザのモバイル端末における友達の連絡先がすぐに失効し、一部の通信プラットフォームにおける友達のアカウントも既に廃棄された可能性があるため、ユーザは、友達を連絡することが困難になる。ユーザは、連絡先を変更する際に、コストが大きく、友達ひとりひとりに通知する必要がある。したがって、上記問題は、いずれもユーザと友達との通信に大きな障害をもたらしている。
【発明の概要】
【発明が解決しようとする課題】
【０００４】
これに鑑み、本発明の実施形態は、ユーザが簡便に友達の情報を管理できるようにし、通信効率を向上させ、通信資源を節約することができる通信方法、通信システム及びコンピュータ記憶媒体を提供する。
【課題を解決するための手段】
【０００５】
本発明の実施形態に係る技術的構成は、次のように実現される。
【０００６】
本発明の実施形態に係る通信システムは、
ユーザに通信アカウントを配分し、該ユーザにより登録された個人情報を受信し、各通信プラットフォームにおける該ユーザのアカウントを該通信アカウントに関連付ける記録モジュールと、
該ユーザの該通信アカウントと該個人情報に基づいて、該ユーザの友達関係を確立し、該ユーザの友達情報を維持する関係リンクモジュールと、
を含む。
【０００７】
また、本発明の実施形態に係る通信方法は、
ユーザに通信アカウントを配分し、該ユーザにより登録された個人情報を受信し、各通信プラットフォームにおける該ユーザのアカウントを該通信アカウントに関連付けるステップと、
該ユーザの該通信アカウントと該個人情報に基づいて、該ユーザの友達関係を確立し、該ユーザの友達情報を維持するステップと、
を含む。
【０００８】
本発明の実施形態に係るコンピュータ記憶媒体は、本発明の実施形態に係る通信方法を実行するためのコンピュータ実行可能命令を記憶する。
【０００９】
本発明の実施形態に係る通信方法、通信システム及びコンピュータ記憶媒体によれば、ユーザに通信アカウントを配分し、該ユーザにより登録された個人情報を受信し、各通信プラットフォームにおける該ユーザのアカウントを該通信アカウントに関連付け、該ユーザの該通信アカウントと該個人情報に基づいて、該ユーザの友達関係を確立し、該ユーザの友達情報を維持する。これにより、ユーザが通信プラットフォームにおける友達の個人情報を手動で管理して維持する必要がなく、ユーザが簡便に友達の情報を管理できるようになる。また、異なる通信プラットフォームにおけるユーザのアカウントの管理を実現し、ユーザと友達との通信コストを低減させ、通信効率を向上させ、通信資源を節約することができる。
【図面の簡単な説明】
【００１０】
【図１】本発明の実施形態に係る通信システムを実現するための構成を示す図である。
【図２】本発明の実施形態に係る通信方法を実現するためのプロセスを示す図である。
【図３】本発明の実施形態に係る個人動的情報を発表する場合の通信システムの表示インタフェースを示す図である。
【図４】本発明の実施形態に係る友達の状態を維持する場合の通信システムの表示インタフェースを示す図である。
【発明を実施するための形態】
【００１１】
本発明の実施形態において、ユーザに通信アカウントを配分し、該ユーザにより登録された個人情報を受信し、各通信プラットフォームにおける該ユーザのアカウントを該通信アカウントに関連付け、該ユーザの該通信アカウントと該個人情報に基づいて、該ユーザの友達関係を確立し、該ユーザの友達情報を維持する。
【００１２】
以下、図面及び具体的な実施形態を参照してさらに詳細に説明する。
【００１３】
図１は本発明の実施形態に係る通信システムを実現するための構成を示す図である。図１に示すように、本発明の実施形態に係る通信システムは、
ユーザに通信アカウントを配分し、該ユーザにより登録された個人情報を受信し、各通信プラットフォームにおける該ユーザのアカウントを該通信アカウントに関連付ける記録モジュール１０と、
該ユーザの該通信アカウントと該個人情報に基づいて、該ユーザの友達関係を確立し、該ユーザの友達情報を維持する関係リンクモジュール２０と、
を含む。
【００１４】
当該システムは、さらに、
ユーザにより更新された個人情報を受信した場合、該友達情報に基づいて、該ユーザの新しい個人情報を友達の通信アカウントと友達のクライアントに同期させる同期モジュール３０、及び／又は、
ユーザにより発表された個人動的情報を受信した場合、該個人動的情報を同時に複数の通信プラットフォームに発表する発表モジュール４０、
を含む。
【００１５】
当該システムは、さらに、
ユーザにより提出されたメッセージを受信した場合、連絡を要求する友達の通信プラットフォームにおける状態を状態管理モジュールが問い合わせるようにトリガーし、該メッセージを、当該友達が現在活動している通信プラットフォームのアカウントに送信する通信モジュール５０、及び、通信モジュール５０によりトリガーされた場合、連絡を要求する友達の通信プラットフォームにおける状態を問い合わせる状態管理モジュール１００、並びに／又は、
ユーザの友達の新しい友達情報及び新しい個人動的情報を取得し、異なる通信プラットフォームにおける同じ新しい友達情報又は新しい個人動的情報を１つの情報に統合し、新しい友達情報及び新しい個人動的情報をソートして、友達情報ブリーフィングを生成し該ユーザに提供する速報モジュール６０、
を含む。
【００１６】
当該システムは、さらに、
異なる友達グループに割り当てられた同じ又は異なる情報公開権限を受信して保存するグループ化モジュール７０と、
該割り当てられた情報公開権限に基づいて、ユーザの友達が当該ユーザの個人情報と個人動的情報を閲覧することを制御する制御モジュール８０と、
を含む。
【００１７】
当該システムは、さらに、
ユーザの個人情報と、取得されたアドレスブックと、該ユーザの個人情報とアドレスブックとの対応関係とを保存し、且つ／又は、ユーザの友達情報を保存し、且つ／又は、公開権限情報を保存する記憶モジュール９０、
を含む。
【００１８】
上記のシステムに基づいて、本発明の実施形態は、さらに通信方法を提供する。図２は本発明の実施形態に係る通信方法を実現するための構成を示す図である。図２に示すように、当該方法は、次のステップを含む。
【００１９】
ステップ２０１において、ユーザに通信アカウントを配分し、該ユーザにより登録された個人情報を受信し、各通信プラットフォームにおける該ユーザのアカウントを該通信アカウントに関連付ける。
【００２０】
具体的には、通信システムがユーザの登録申請を受信した場合、通信システムの記録モジュールは、当該ユーザに唯一の通信アカウントを配分する。当該通信アカウントに基づいて、ユーザは、クライアントを介して自分の個人情報を登録することができる。当該個人情報は、ユーザの個人資料、連絡先、友達の個人情報、及び異なる通信プラットフォームにおけるユーザのアカウントとパスワードを含む。通信システムの記録モジュールは、ユーザにより登録された個人情報を受信し、また、ユーザのクライアントから当該クライアントにおけるユーザのアドレスブックを自動的に取得することができる。記憶モジュールは、ユーザの個人情報と、取得されたアドレスブックと、ユーザの個人情報とアドレスブックとの対応関係とを保存する。
【００２１】
通信システムの記録モジュールは、他の通信プラットフォームのログインアプリケーションプログラミングインタフェース（ＡＰＩ：Ａｐｐｌｉｃａｔｉｏｎ  Ｐｒｏｇｒａｍｍｉｎｇ  Ｉｎｔｅｒｆａｃｅ）を介して、他の通信プラットフォームと関連付けられる。例えば、ユーザが通信システムにログインする場合、通信システムは、予め設定された通信プラットフォームのアカウントとパスワードを利用し、対応する通信プラットフォームのログインＡＰＩを自動的に呼び出し、当該通信プラットフォームの個人ホームページの暗号化されたユニフォームリソースロケータ（ＵＲＬ：ｕｎｉｆｏｒｍ  ｒｅｓｏｕｒｃｅ  ｌｏｃａｔｏｒ）文字列を取得し、当該暗号化されたＵＲＬ文字列を「アカウント＠通信プラットフォーム」のような関連リンクとする。これにより、ユーザは、関連リンクとしての「アカウント＠通信プラットフォーム」をクリックすることで、暗号化されたＵＲＬ文字列を介して直接当該通信プラットフォームにおける個人ホームページにジャンプすることができる。
【００２２】
ステップ２０２において、通信システムは、ユーザの通信アカウントと個人情報に基づいて、該ユーザの友達関係を確立し、該ユーザの友達情報を維持する。
【００２３】
具体的には、通信システムの関係リンクモジュールは、ユーザにより提供された通信プラットフォームのアカウントとパスワードに基づいて、各通信プラットフォームからユーザの友達情報を自動的に取得する。当該友達情報は、アカウント、ニックネーム、友達関係の方向情報、メモ、グループ情報などのうちの１つ以上を含む。友達情報は、通信システムの記憶モジュールに保存される。記憶モジュールは、関係リンクモジュールにより取得されたユーザの友達情報を保存する。
【００２４】
通信システムの関係リンクモジュールは、ユーザの個人情報及びユーザの友達情報に基づいて、他の通信アカウントとマッチングし、ユーザに他の通信アカウントを推薦してユーザの友達とする。ユーザは、通信システムの関係リンクモジュールにおいて他の通信アカウントを検索することができる。関係リンクモジュールは、ユーザのアドレスブック及び通信プラットフォームにおける友達情報に基づいて、検索結果に関連度の高い通信アカウントを優先的に表示する。ユーザが、推薦又は検索された通信アカウントに友達要求を送信し、返信された承認応答が受信されると、同意が得られたことを提示し、当該通信アカウントと友達関係を確立することができる。友達関係が確立されたユーザの双方は、例えば、電話番号、メールアドレス、通信プラットフォームのアカウントなどの相互に開示する個人情報を選択することができる。
【００２５】
通信システムのグループ化モジュールは、取得されたアドレスブックと友達情報におけるグループ情報とに基づいて、ユーザに自動グループ又は友達グループの提示情報を提供する。ユーザは、通信システムのグループ化モジュールにより、友達をグループ化して調整することができる。通信システムは、ユーザにより異なる友達グループに対して割り当てられた同じ又は異なる情報公開権限を受信する。これにより、公開権限の制御は、友達グループまで精確にすることができ、また、単一の友達まで精確にすることもできる。通信システムの制御モジュールは、割り当てられた情報公開権限に基づいて、ユーザの友達が当該ユーザの個人情報および個人動的情報を閲覧することを制御する。記憶モジュールは、当該公開権限情報を保存する。
【００２６】
ステップ２０３において、ユーザにより更新された個人情報を受信した場合、通信システムは、ユーザの新しい個人情報を保存し、友達情報に基づいて、ユーザの新しい個人情報を友達の通信アカウントと友達のクライアントに同期させる。
【００２７】
具体的には、携帯番号の更新、電子メールの更新、ある通信プラットフォームへの新しいアカウントの登録などのユーザにより更新された個人情報を受信した場合、通信システムの同期モジュールは、まずユーザの新しい個人情報を通信システムの記憶モジュールに保存し、次に友達の個人情報及び友達に配分された情報公開権限に基づいて、ユーザの新しい個人情報を友達の通信アカウントに自動的に同期させる。
【００２８】
通信システムにおいて、友達の通信アカウントは、ユーザの新しい個人情報を受信した場合、記憶手段に保存された当該ユーザの個人情報を更新する。さらに、新しい個人情報に新しい携帯番号のような新しい通信情報が含まれる場合、通信システムの同期モジュールは、友達が受信したユーザの新しい個人情報に含まれる通信情報を友達のクライアントに能動的に送信し、友達のクライアンのダウンロードモジュールは、ユーザの新しい通信情報を受信した後、新しい通信情報をクライアントのアドレスブックに送信し、受信された新しい通信情報をアドレスブックに保存して、友達のクライアントにおいてユーザの通信情報の即時更新を実現する。これにより、ユーザの連絡先が変化した場合、友達ひとりひとりに通知することなく、通信システムの同期モジュールにより高速で自動的にすべての友達に通知を行う。
【００２９】
ステップ２０４において、ユーザから発表された個人動的情報を受信した場合、通信システムは、ユーザの個人動的情報を同時に複数の通信プラットフォームに発表する。
【００３０】
具体的には、ユーザは、通信システムで個人動的情報を同時に複数の通信プラットフォームに発表することができる。個人動的情報を発表する場合、通信システムの発表モジュールは、ユーザがクライアントを用いてアップロードした個人動的情報を受信し、ユーザがクライアントを用いて選択した１つ以上の通信プラットフォームのアカウントを受信する。発表モジュールは、選択された１つ以上の通信プラットフォームのアカウントに基づいて、受信された個人動的情報を対応する１つ以上の通信プラットフォームのアカウントに同時に発表する。当該個人動的情報は、テキスト、ピクチャ、オーディオ、ビデオなどの豊富な情報であってよい。
【００３１】
例えば、図３に示すように、通信システムの発表モジュールは、クライアントによりユーザに図３に示すインタフェースを表示させ、ユーザは、発表すべき個人動的情報の具体的な内容を入力することでき、また、右側のチェック欄に、個人動的情報を発表する必要があるアカウントをチェックすることができる。これにより、通信システムの発表モジュールは、チェックされたアカウントに基づいて、入力された個人動的情報を、チェックされたアカウントに対応する通信プラットフォームに１回で発表する。ユーザは複数のプラットフォームごとに同じ内容の個人動的情報を発表する必要がなく、個人動的情報の発表をより素早く簡単に実現し、ユーザと友達との間のインタラクションと通信を知的に補助し、ユーザと友達との通信コストを低減させる。
【００３２】
ステップ２０５において、通信システムは、ユーザから提出されたメッセージを受信した場合、連絡を要求する友達の通信プラットフォームにおける状態を問い合わせ、当該メッセージを、友達が現在活動している通信プラットフォームのアカウントに送信する。
【００３３】
具体的には、通信システムがそれぞれユーザの異なる通信プラットフォームと関連付けられるため、通信プラットフォームにおける友達の状態が変化した場合、通信プラットフォームは、友達の状態情報を通信システムの状態管理モジュールにすぐに報告することができる。ユーザがその友達の状態を問い合わせた場合、状態管理モジュールは、通信プラットフォームから友達の状態情報を取得することができ、また、図４に示すインタフェースを利用し、当該ユーザが検索権限を持っている友達の通信プラットフォームにおける状態情報をユーザに表示することができる。当該状態情報は、オンライン、オフライン、最近の活動時間などであってよい。友達のオンラインとオフラインは、対応する明るいアイコンと暗いアイコンで表示されることができる。
【００３４】
ユーザが友達と連絡する必要がある場合、ユーザはクライアントを用いて、メッセージ内容及び連絡を要求する友達が含まれる要求メッセージを通信システムに送信する。通信システムの通信モジュールは、要求メッセージを受信した後、状態管理モジュールにより、連絡を要求する友達の通信プラットフォームにおける状態を問い合わせる。１つのオンライン通信プラットフォームが存在する場合、友達が当該通信プラットフォームで活動していると見なされ、通信モジュールは、当該通信プラットフォームにおけるユーザのアカウントによって、メッセージ内容を、友達が現在活動している通信プラットフォームに送信し、友達が通信プラットフォームのクライアントによりメッセージ内容を見る。複数のオンライン通信プラットフォームが存在する場合、ユーザにより予め設定された優先順位に従って、優先順位の最も高い通信プラットフォームを選択してメッセージ内容を送信する。オンライン通信プラットフォームがない場合、ショートメッセージなどで当該メッセージ内容を友達に通知することができる。当該メッセージ内容は、テキスト、ピクチャ、オーディオ、ビデオなどの情報であってよい。
【００３５】
また、通信システムにおける速報モジュールは、同期モジュールからユーザの友達の新しい友達情報及び新しい個人動的情報を取得することができる。速報モジュールは、新しい友達情報及び新しい個人動的情報を統合することができ、異なるプラットフォームにおける同じ情報を１つの情報に統合することができる。速報モジュールは、新しい友達情報及び新しい個人動的情報を時間順又は他の順にソートし、最終的に生成される友達情報ブリーフィングを生成しユーザに提供する。これにより、友達の更新情報を自動的に統合することを実現できる。
【００３６】
実施形態
通信システムがユーザにより使用される異なる通信プラットフォームと関連付けられるため、ユーザは、通信システムにログインした後、「アカウント＠通信プラットフォーム」のような関連リンクをクリックすることで、予め割り当てられた通信プラットフォームのアカウントで直接当該通信プラットフォームにジャンプすることができ、また、通信システムにおいて直接当該通信プラットフォームの情報ブリーフィングを閲覧することができ、異なる通信プラットフォームごとにログインする必要がなく、複数の通信プラットフォームにおいてより簡単で素早いログイン及び閲覧を実現できる。
【００３７】
本発明の実施形態において、上述の通信プラットフォームは、サービスプロバイダから提供される即時通信ツール、ブログ、マイクロブログ、ソーシャルウェブサイトなどであってよい。
【００３８】
本発明の実施形態においてまとめられたモジュールは、ソフトウェア機能モジュールの形態で実現され且つ独立した製品として販売又は使用される場合、１つのコンピュータ読み取り可能な記憶媒体に記憶することができる。このような理解に基づいて、本発明の実施形態に係る技術的構成は、本質上又は従来技術に貢献する部分がソフトウェア製品の形態で体現されることができる。当該コンピュータ製品は記憶媒体に記憶され、コンピュータデバイス（パーソナルコンピュータ、サーバ、又はネットワークデバイスなどであってよい）に本発明の各実施形態に係る方法の全部又は一部を実行させるためのコマンドを含む。該記憶媒体は、Ｕディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク、光ディスクなどの、プログラムコードを記憶できる様々な媒体を含む。このように、本発明の実施形態は、いかなる特定のハードウェアとソフトウェアの組み合わせに制限されない。
【００３９】
それに応じて、本発明の実施形態はさらにコンピュータ記憶媒体を提供する。当該コンピュータ記憶媒体は、本発明の実施形態に係る通信方法を実行するためのコンピュータプログラムを記憶する。
【００４０】
上記は、本発明の好ましい実施形態に過ぎず、本発明の保護範囲を限定するものではない。本発明の主旨と原則の中で成される如何なる変更、均等物の置換、改良等は、本発明の保護範囲に包含されるものとする。
本特許出願は、２０１２年７月２０日に出願された中国特許出願番号が２０１２１０２５２３３６．８号であり、出願人が騰訊科技（深セン）有限公司であり、発明名称が「通信方法及び通信システム」である出願に基づく優先権を主張するものであり、当該出願の全文が参照により本書に援用される。
【図１】
0005827446.tif 000002
【図２】
0005827446.tif 000003
【図３】
0005827446.tif 000004
【図４】
0005827446.tif 000005